(57)【要約】【課題】  別の締結部材を用いることなく、カセットホルダをハウジングブラケットに固定できるカセットハウジングのレバー固定装置及びそれを備える磁気記録再生装置を提供する。【解決手段】  本発明のカセットハウジングのレバー固定装置は、カセットホルダとシャーシとを互いに連結する少なくとも１つのレバーをカセットホルダとシャーシの少なくとも一方と互いにスナップ式に連結し、レバーをカセットホルダとシャーシの少なくとも一方にヒンジ式に固定する少なくとも１つのスナップ固定部を備えている。【選択図】      図４ 
2006004608.tif 000002
【特許請求の範囲】
【請求項１】
カセットホルダとシャーシとを互いに連結する少なくとも１つのレバーを備えるカセットハウジングのレバー固定装置であって、
前記レバーを前記カセットホルダと前記シャーシの少なくとも一方と互いにスナップ式に連結し、前記レバーを前記カセットホルダと前記シャーシの少なくとも一方にヒンジ式に固定する少なくとも１つのスナップ固定部を備えることを特徴とするカセットハウジングのレバー固定装置。
【請求項２】
前記スナップ固定部は、
前記カセットホルダと前記シャーシの少なくとも一方と前記レバーとの間に設けられた中間部材と；
前記レバーを前記中間部材に回転自在に固定する第１スナップと；
前記中間部材を前記シャーシに固定する第２スナップとを備えることを特徴とする請求項１に記載のカセットハウジングのレバー固定装置。
【請求項３】
前記第１スナップは、
前記レバーと前記中間部材のいずれか一方に形成された回動ボスと；
前記レバーと前記中間部材のいずれか他方に形成された回動ボス収容穴を備えることを特徴とする請求項２に記載のカセットハウジングのレバー固定装置。
【請求項４】
前記第１スナップは、前記レバーのヒンジ動作の際に前記回動ボスが前記回動ボス収容穴から離脱することを防止する離脱防止部材を更に備えることを特徴とする請求項３に記載のカセットハウジングのレバー固定装置。
【請求項５】
前記離脱防止部材は、
前記レバーと前記中間部材のいずれか一方に形成された少なくとも１つのフックと；
前記レバーと前記中間部材のいずれか他方に形成され、前記フックを挿入し収容する組立用拡張穴と前記組立用拡張穴を通じて挿入された前記フックを所定角度で回動可能に支持する支持穴を備える少なくとも１つのフック収容部とを備えることを特徴とする請求項４に記載のカセットハウジングのレバー固定装置。
【請求項６】
前記組立用拡張穴は前記レバーのヒンジ動作範囲外で形成され、前記支持穴は前記レバーの回動動作範囲内で形成されることを特徴とする請求項５に記載のカセットハウジングのレバー固定装置。
【請求項７】
前記第１スナップは、前記レバーのヒンジ動作の際に前記中間部材が組立位置から離脱しないように保持する位置保持部材を更に備えることを特徴とする請求項３に記載のカセットハウジングのレバー固定装置。
【請求項８】
前記位置保持部材は、前記中間部材から前記レバーと接触するように突出した突起を備えることを特徴とする請求項７に記載のカセットハウジングのレバー固定装置。
【請求項９】
前記第２スナップは、
前記中間部材と前記シャーシのいずれか一方に形成されたスライドスロットと；
前記中間部材と前記シャーシのいずれか他方に前記スライドスロットに対向して形成されたスロットガイド溝とを備えることを特徴とする請求項２に記載のカセットハウジングのレバー固定装置。
【請求項１０】
前記第２スナップは、前記スロットガイド溝が前記スライドスロットから離脱することを防止するロック部材を更に備えることを特徴とする請求項９に記載のカセットハウジングのレバー固定装置。
【請求項１１】
前記ロック部材は、
前記中間部材と前記シャーシのいずれか一方に設けられたロック突起と；
前記中間部材と前記シャーシのいずれか他方に設けられたロック突起収容部とを備えることを特徴とする請求項１０に記載のカセットハウジングのレバー固定装置。
【請求項１２】
カセットを収納するカセットホルダと；
デッキに配設されたシャーシと；
前記カセットホルダを前記シャーシに昇降可能に支持し、デッキ上のテープリールに安着する安着位置及び前記カセットを収納するイジェクト位置に移動させるカセットホルダ昇降部とを備えており、
前記カセットホルダ昇降部は、第１端部は前記カセットホルダにヒンジ式に固定され、第２端部は前記シャーシに所定距離スライド移動可能に支持された第１レバーと、第１端部は前記カセットホルダに所定距離スライド移動可能に支持され、第２端部は前記シャーシにヒンジ式に固定された第２レバーと、前記第１レバーの前記第１端部と前記第２レバーの前記第２端部の少なくとも一つを相応する前記カセットホルダと前記シャーシの少なくとも一方に互いにスナップ式に連結並びにヒンジ式に固定する少なくとも１つのスナップ固定部とを備えることを特徴とする磁気記録再生装置。
【請求項１３】
前記スナップ固定部は、
前記第１レバーの前記第１端部と前記第２レバーの前記第２端部の少なくとも一つと相応する前記カセットホルダと前記シャーシの少なくとも一方との間に設けられた中間部材と；
前記第１レバーの前記第１端部と前記第２レバーの前記第２端部の少なくとも一つを前記中間部材に回転自在に固定する第１スナップと；
前記中間部材を前記カセットホルダと前記シャーシの少なくとも一方に固定する第２スナップとを備えることを特徴とする請求項１２に記載の磁気記録再生装置。
【請求項１４】
前記第１スナップは、
前記第１レバーの前記第１端部と前記第２レバーの前記第２端部の少なくとも一方と、前記中間部材のいずれか一方に形成された回動ボスと；
前記第１レバーの前記第１端部と前記第２レバーの前記第２端部の少なくとも一方と前記中間部材のいずれか他方に形成された回動ボス収容穴とを備えることを特徴とする請求項１３に記載の磁気記録再生装置。
【請求項１５】
前記第１スナップは、前記第１レバーの前記第１端部と前記第２レバーの前記第２端部の少なくとも一方のヒンジ動作の際に、前記回動ボスが前記回動ボス収容穴から離脱することを防止する離脱防止部材をさらに備えることを特徴とする請求項１４に記載の磁気記録再生装置。
【請求項１６】
前記離脱防止部材は、
前記第１レバーの前記第１端部と前記第２レバーの第２端部の少なくとも一方と前記中間部材のいずれか一方に形成された少なくとも１つのフックと；
前記第１レバーの第１端部と第２レバーの第２端部の少なくとも一方と前記中間部材のいずれか他方に形成され、前記フックを挿入し収容する組立用拡張穴と前記組立用拡張穴を通じて挿入されたフックを所定角度で回動可能に支持する支持穴を有する少なくとも１つのフック収容部とを備えることを特徴とする請求項１５に記載の磁気記録再生装置。
【請求項１７】
前記組立用拡張穴は前記フックの回動動作範囲外で形成され、前記支持穴は前記フックの回動動作範囲内で形成されることを特徴とする請求項１６に記載の磁気記録再生装置。
【請求項１８】
前記第２スナップは、
前記カセットホルダとシャーシの少なくとも一方と前記中間部材のいずれか一方に形成されたスライドスロットと；
前記カセットホルダとシャーシの少なくとも一方と前記中間部材のいずれか他方に形成されたスロットガイド溝とを備えることを特徴とする請求項１３に記載の磁気記録再生装置。
【請求項１９】
前記第２スナップは、前記スロットガイド溝が前記スライドスロットから離脱することを防止するロック部材を更に備えることを特徴とする請求項１８に記載の磁気記録再生装置。
【請求項２０】
前記ロック部材は、
前記カセットホルダと前記シャーシの少なくとも一方と前記中間部材のいずれか一方に設けられたロック突起と；
前記カセットホルダと前記シャーシの少なくとも一方と前記中間部材のいずれか他方に設けられたロック突起収容部とを備えることを特徴とする請求項１９に記載の磁気記録再生装置。
【発明の詳細な説明】
【技術分野】
【０００１】
本発明は、カセットハウジングのレバー固定装置及びそれを備える磁気記録再生装置に係る。
【背景技術】
【０００２】
一般にビデオカメラ（カムコーダ）、ＶＣＲのような磁気記録再生装置は、カセットを収納してデッキのリールテーブルにローディングしたり、リールテーブルからアンローディングするカセットハウジングを備えている。
【０００３】
図１は、一般の磁気記録再生装置のカセットハウジングを示す。このカセットハウジングは、前面板１の両側に側板２、２’がそれぞれ設けられたシャーシ（Ｃｈａｓｓｉｓ）３、連結ピン６、６’により互いに連結された第１及び第２レバー４、４’；５、５’をシャーシ３の側板２、２’にそれぞれ連結固定するＸ字レバー組立体７、７’、Ｘ字レバー組立体７、７’上部に連結固定されるカセットホルダ８、第１及び第２レバー４、４’；５、５’の上部を連結するイジェクトスプリング９、９’、下部に作動部１１ａが形成されシャーシ３の一側板２に軸ピン１０にて回転自在に係合されるロックレバー１１、カセットホルダ８の側壁に固定されロックレバー１１に選択的にかかるかけピン１２、ロックレバー１１を弾性的に支持する引張スプリング１３、カセットホルダ８の側壁後方に回転自在に係合されるダンパーギヤ１４、第１レバー４の上部に形成されダンパーギヤ１４に噛合されるセクタギヤ１５等から構成される。
【０００４】
前記のように構成される従来のカセットハウジングの動作を簡単に説明する。
【０００５】
まず、カセットが装着されたカセットホルダ８を安着させる場合、カセットホルダ８が、図２Ｂ及び図３Ｂに示したように、イジェクトされた状態で下方に軽く押されると、第１及び第２レバー４、４’；５、５’の間で連結されたイジェクトスプリング９、９’が引張されながらＸ字レバー組立体７、７’が折畳して下降するようになり、これによりロックレバー１１がカセットホルダ８のかけピン１２にかかりカセットホルダ８が図２Ａ及び図３Ａに示したように安着する。
【０００６】
カセットホルダ８のイジェクトに関して、カセットホルダ８が図２Ａ及び図３Ａに示したように、安着位置に位置した状態で図示しない別のロックレバー駆動手段によりロックレバー１１の作動部１１ａを図２Ｂに示す矢印Ａ方向に押すと、ロックレバー１１が引張スプリング１３の弾性に抗して軸ピン１０を中心に反時計回りに回転してカセットホルダ８のかけピン１２が自由状態になり、これによりＸ字レバー組立体７、７’がイジェクトスプリング９、９’により伸ばされ、カセットホルダ８が図２Ｂ及び図３Ｂのようにイジェクトされる。
【０００７】
このような構成の従来カセットハウジングは、通常の組立時、カセットホルダ８が、第１レバー４、４’及び側板２、２’に設けられたスライド固定部１６、１６’と、第２レバー５、５’及び側板２、２’に設けられたヒンジ固定部１９、１９’によりシャーシ３の側板２、２’に固定される。
【０００８】
即ち、図２Ｂ及び図３Ｂに示したように、カセットホルダ８は、第１レバー４、４’の下部に設けられた突出ピン１７、１７’を突出ピン１７、１７’と対向して側板２、２’に設けられたピン収容穴１８、１８’に挿入した後、第２レバー５、５’の下部と側板２、２’に設けられた軸ピン穴２１、２１’に軸ピン２０、２０’を挿入し、ワッシャー（図示せず）等を使用して固定する作業によりシャーシ３に固定される。
【０００９】
ところが、軸ピン２０、２０’を軸ピン穴２１、２１’に挿入し、ワッシャー等を使って固定する作業において、別の締結部材である軸ピン２０、２０’を軸ピン穴２１、２１’に挿入した後ワッシャーを嵌め込み、再びネジで固定する等、複雑な組立工程を要するので作業が複雑で、作業時間も長くかかり、生産性が低下するという問題点があった。
【発明の開示】
【発明が解決しようとする課題】
【００１０】
本発明の目的は、別の締結部材を用いることなく、カセットホルダをシャーシに固定できるカセットハウジングのレバー固定装置及びそれを備える磁気記録再生装置を提供することである。
【課題を解決するための手段】
【００１１】
前述した目的を達成するために、本発明は、カセットホルダとシャーシとを互いに連結する少なくとも１つのレバーを有するカセットハウジングのレバー固定装置において、レバーをカセットホルダとシャーシの少なくとも一方と互いにスナップ式に連結して、レバーをカセットホルダとシャーシの少なくとも一方にヒンジ式に固定する少なくとも１つのスナップ固定部を備えるカセットハウジングのレバー固定装置を提供する。
【００１２】
好適な実施例において、スナップ固定部は、カセットホルダとシャーシの少なくとも一方とレバーとの間に設けられた中間部材、レバーを中間部材に回転自在に固定する第１スナップ、及び中間部材をシャーシに固定する第２スナップを備える。
【００１３】
第１スナップは、レバーと中間部材のいずれか一方に設けられた回動ボス、及びレバーと中間部材のいずれか他方に設けられた回動ボス収容穴から構成される。
【００１４】
第１スナップは、レバーのヒンジ動作の際に回動ボスが回動ボス収容穴から離脱することを防止する離脱防止部材を更に備えることができる。
【００１５】
離脱防止部材は、レバーと中間部材のいずれか一方に形成された少なくとも１つのフックと、レバーと中間部材のいずれか他方に形成され、フックを挿入して収容する組立用拡張穴と組立用拡張穴を通じて挿入されたフックを所定角度で回動可能に支持する支持穴を備える少なくとも１つのフック収容部から構成される。この時、中間部材に関しては、所定角度でピボットするレバーのヒンジ動作の際にフックが組立用拡張穴を通じて外れないようにするため、組立用拡張穴はレバーのヒンジ動作範囲、つまりフックの回動動作範囲外で形成され、支持穴はフックの回動動作範囲内で形成されることが好ましい。
【００１６】
また、第１スナップは、レバーのヒンジ動作の際に中間部材が組立位置から離脱しないように保持する位置保持部材を更に備えることができる。位置保持部材は、中間部材からレバーと接触するように突出した突起で構成されるのが良い。
【００１７】
第２スナップは、中間部材とシャーシのいずれか一方に形成されたスライドスロット、及び中間部材とシャーシのいずれか他方にスライドスロットに対向して形成されたスロットガイド溝から構成される。
【００１８】
第２スナップは、スロットガイド溝がスライドスロットから離脱して中間部材がシャーシから外れるのを防止するため、中間部材をシャーシにロックするロック部材を更に備えることができる。
【００１９】
ロック部材は、中間部材とシャーシのいずれか一方に設けられたロック突起、及び中間部材とシャーシのいずれか他方に設けられたロック突起収容部から構成される。
【００２０】
本発明の他の実施形態によれば、本発明は、外部から投入されるカセットを収納するカセットホルダと、デッキに設けられたシャーシと、カセットホルダをシャーシに昇降可能に支持して、デッキ上のテープリールに安着させる安着位置及びカセットを収納するイジェクト位置に移動させるカセットホルダ昇降部とを備えており、カセットホルダ昇降部は、第１端部は、カセットホルダにヒンジ式に固定され、第２端部は、シャーシに所定距離スライド移動可能に支持された第１レバー、第１端部は、カセットホルダに所定距離スライド移動可能に支持され、第２端部は、シャーシにヒンジ式に固定された第２レバー、及び第１レバーの第１端部と第２レバーの第２端部の少なくとも一方を相応するカセットホルダとシャーシの少なくとも一方に互いにスナップ式に連結並びにヒンジ式に固定する少なくとも１つのスナップ固定部を備える磁気記録再生装置を提供する。
【００２１】
好適な実施例において、スナップ固定部は、第１レバーの第１端部と第２レバーの第２端部の少なくとも一つと相応するカセットホルダとシャーシの少なくとも一方との間に設けられた中間部材と、第１レバーの第１端部と第２レバーの第２端部の少なくとも一方を中間部材に回転自在に固定する第１スナップと、中間部材をカセットホルダとシャーシの少なくとも一方に固定する第２スナップとを備える。
【００２２】
第１スナップは、第１レバーの第１端部と第２レバーの第２端部の少なくとも一方と中間部材のいずれか一方に形成された回動ボスと、第１レバーの第１端部と第２レバーの第２端部の少なくとも一方と中間部材のいずれか他方に形成された回動ボス収容穴とから構成される。
【００２３】
第１スナップは、第１レバーの第１端部と第２レバーの第２端部の少なくとも一方のヒンジ動作の際に回動ボスが回動ボス収容穴から離脱することを防止する離脱防止部材を更に備えることができる。
【００２４】
離脱防止部材は、第１レバーの第１端部と第２レバーの第２端部の少なくとも一方と中間部材のいずれか一方に形成された少なくとも１つのフック、及び第１レバーの第１端部と第２レバーの第２端部の少なくとも一方と中間部材のいずれか他方に形成され、フックを挿入して収容する組立用拡張穴と組立用拡張穴を通じて挿入されたフックを所定角度で回動可能に支持する支持穴を有する少なくとも１つのフック収容部から構成される。ここで、中間部材に関しては、所定角度でピボットする第１レバーの第１端部と第２レバーの第２端部の少なくとも一方のヒンジ動作の際、フックが組立用拡張穴を通じて外れないようにするため、組立用拡張穴は第１レバーの第１端部と第２レバーの第２端部の少なくとも一方のヒンジ動作範囲、つまりフックの回動動作範囲外で形成され、支持穴はフックの回動動作範囲内で形成されることが好ましい。
【００２５】
また、第１スナップは、レバーのヒンジ動作の際に中間部材が組立位置から離脱しないように保持する位置保持部材を更に備えることができる。位置保持部材は、中間部材からレバーと接触するように突出した突起で構成されるのが良い。
【００２６】
第２スナップは、カセットホルダとシャーシの少なくとも一方と中間部材のいずれか一方に形成されたスライドスロット、及びカセットホルダとシャーシの少なくとも一方と中間部材のいずれか他方にスライドスロットに対向して形成されたスロットガイド溝から構成される。
【００２７】
第２スナップは、スロットガイド溝がスライドスロットから離脱して中間部材がカセットホルダとシャーシの少なくとも一方から外れることを防止するために、中間部材をカセットホルダとシャーシの少なくとも一方にロックするロック部材を更に備えることができる。
【００２８】
ロック部材は、カセットホルダとシャーシの少なくとも一方と中間部材のいずれか一方に設けられたロック突起、及びカセットホルダとシャーシの少なくとも一方と中間部材のいずれか他方に設けられたロック突起収容部から構成される。
【発明の効果】
【００２９】
本発明のカセットハウジングのレバー固定装置及びそれを備える磁気記録再生装置は、スナップ固定部を用いて別の締結部材を使用することなく、カセットホルダのレバーをシャーシに固定でき、これにより、カセットホルダをハウジングブラケットに組立固定する作業工程数が減少し、作業時間も短くなり、生産性が向上される。
【発明を実施するための最良の形態】
【００３０】
以下、図面を参照して、本発明によるカセットハウジングのレバー固定装置及びそれを備える磁気記録再生装置をより詳細に説明する。
【実施例】
【００３１】
図４は、本発明の好適な実施例に係るカセットハウジングのレバー固定装置が適用されたビデオカメラ、ＶＣＲ等のような磁気記録再生装置のカセットハウジング１００を示す。同図に示したように、カセットハウジング１００は、デッキ１７０を搭載し、磁気記録再生装置のメインフレーム（図示でず）に固定されるシャーシ１０３と、カセットｃを収納するカセットホルダ１０８と、カセットホルダ１０８をデッキ上のリールテーブル１６０に安着させる安着位置（図示せず）とカセットｃを収納するイジェクト位置（図５Ｂ及び図７Ｂ）に昇降可能にシャーシ１０３に固定するカセットホルダ昇降部１０７とを備える。
【００３２】
シャーシ１０３は、前面及び背面板１１４、１０１の両側に右側及び左側板１０２、１０２’を有する。
【００３３】
カセットホルダ１０８は、カセットを収納できる空間を設けるため、上板１０８ｅの両側を連結し、ホルダ支持部１０８ｄ、１０８ｄ’をそれぞれ形成した右側及び左側板１０８ａ、１０８ｂを備える。
【００３４】
カセットホルダ昇降部１０７は、各々カセットホルダ１０８の右側及び左側板１０８ａ、１０８ｂに設けられた右側及び左側Ｘ字レバー組立体１０７ａ、１０７ｂ（図７Ａ及び図７Ｂ）、カセットホルダ１０８を安着位置にロックするロックレバー１１１と、ロックレバー１１１のロック解除時にカセットホルダ１０８をイジェクト位置に復帰させるイジェクトスプリング１０９から構成される。
【００３５】
右側及び左側Ｘ字レバー組立体１０７ａ、１０７ｂは、各々カセットホルダ１０８の右側及び左側板１０８ａ、１０８ｂに設置されたことのみが異なっており、その他の構成は略同様であるので、ここでは説明のために右側Ｘ字レバー組立体１０７ａのみ図４、図５Ａ及び図５Ｂによって説明する。
【００３６】
図５Ａ及び図５Ｂに示したように、右側Ｘ字レバー組立体１０７ａは、第１及び第２右側レバー１０４、１０５を備える。
【００３７】
第１右側レバー１０４は、右側ヒンジ固定部１２２によりカセットホルダ１０８の右側板１０８ａにヒンジ式に固定された上端部１０４ａと第１右側スライド固定部１１６によりシャーシ１０３の右側板１０２に所定距離スライド移動可能に支持された下端部１０４ｂを備える。
【００３８】
右側ヒンジ固定部１２２は、第１右側レバー１０４の上端部１０４ａに形成された第１回動ボス１２３、カセットホルダ１０８の右側板１０８ａに形成された第１回動ボス収容穴１２４、及び第１回動ボス１２３を第１回動ボス収容穴１２４に固定する固定ワッシャー１２４ａ（図４）から構成され、第１右側スライド固定部１１６は、第１右側レバー１０４の下端部１０４ｂに形成された第１スライドボス１１７、及び第１スライドボス１１７と対向してシャーシ１０３の右側板１０２に形成された第１組立用拡張穴１１８ａを有する第１スライドボス収容穴１１８から構成される。
【００３９】
第２右側レバー１０５は、第２右側スライド固定部１１９によりカセットホルダ１０８の右側板１０８ａに所定距離スライド移動可能に支持された上端部１０５ａと、後述する本発明によるレバー固定装置２００の右側スナップ固定部２００ａによりシャーシ１０３にスナップ式に回動可能に固定された下端部１０５ｂを備える。
【００４０】
第２右側スライド固定部１１９は、第２右側レバー１０５の上端部１０５ａに形成された第２スライドボス１２１、及び第２スライドボス１２１と対向して右側板１０８ａに形成された第２組立用拡張穴１２０ａを有する第２スライドボス収容穴１２０から構成される。
【００４１】
本発明によるレバー固定装置２００は、右側Ｘ字レバー組立体１０７ａの第２右側レバー１０５の下端部１０５ｂをシャーシ１０３の右側板１０２に互いにスナップ式に連結し、第２右側レバー１０５の下端部１０５ｂをシャーシ１０３の右側板１０２にヒンジ式に固定する右側スナップ固定部２００ａと、左側Ｘ字レバー組立体１０７ｂ（図７Ａ、図７Ｂ）の第２左側レバー１０５’の下端部１０５ｂ’をシャーシ１０３の左側板１０２’に互いにスナップ式に連結し、第２左側レバー１０５’の下端部１０５ｂ’をシャーシ１０３の左側板１０２’にヒンジ式に固定する左側スナップ固定部２００ｂとから構成される。
【００４２】
図５Ａ及び図５Ｂに示したように、右側スナップ固定部２００ａは、第２右側レバー１０５の下端部１０５ｂとシャーシ１０３の右側板１０２との間に設けられた右側中間部材２２０と、第２右側レバー１０５の下端部１０５ｂを右側中間部材２２０に回転自在に固定する第１右側スナップ２２５と、右側中間部材２２０をシャーシ１０３の右側板１０２に固定する第２右側スナップ２３０とを有している。
【００４３】
図６Ａ乃至図６Ｃに示したように、右側中間部材２２０は、四角形状の第１板２２１と三角形状の第２板２２４を中間連結部２２３で連結したＩ字断面形態の部材で形成される。
【００４４】
第２右側レバー１０５の下端部１０５ｂと対向して設置された第１板２２１は、第２右側レバー１０５の下端部１０５ｂと対向する面において後述する第１右側スナップ２２５の第２回動ボス２２６と離脱防止部材２４０のフック２４５が形成される。
【００４５】
中間連結部２２３は、後述する第２右側スナップ２３０のスライドスロット２３５（図５Ａ）の幅と同一であるかまたは若干小さい幅を有する。これにより、第１板２２１と第２板２２４との間で中間連結部２２３の両縁に沿って第２右側スナップ２３０のスライドスロット２３５を収容するスロットガイド溝２３１（図４及び図６Ｃ）が形成される。
【００４６】
第１右側スナップ２２５は、第２右側レバー１０５の下端部１０５ｂに対向する右側中間部材２２０の第１板２２１の面に形成された第２回動ボス２２６、及び第２右側レバー１０５の下端部１０５ｂに第２回動ボス２２６と対向して形成された第２回動ボス収容穴２２８から構成される。
【００４７】
第１右側スナップ２２５は、第２右側レバー１０５の下端部１０５ｂのヒンジ動作の際に第２回動ボス２２６が第２ボス収容穴２２８から離脱することを防止する離脱防止部材２４０を更に備える。
【００４８】
離脱防止部材２４０は、第２右側レバー１０５の下端部１０５ｂに対向する右側中間部材２２０の第１板２２１の面に形成された二つのフック２４５と、第２右側レバー１０５の下端部１０５ｂに形成され、フック２４５を挿入し収容する第３組立用拡張穴２４１ａと第３組立用拡張穴２４１ａを通じて挿入されたフック２４５を所定角度で回動可能に支持する支持穴２４１ｂを有する二つのフック収容部２４１から構成される。この時、右側中間部材２２０に関して、所定角度でピボットする第２右側レバー１０５の下端部１０５ｂのヒンジ動作の際にフック２４５が第３組立用拡張穴２４１ａを通じて外れないようにするため、第３組立用拡張穴２４１ａは、第２右側レバー１０５の下端部１０５ｂのヒンジ動作範囲、つまりフック２４５の回動動作範囲外で形成され、支持穴２４１ｂは、フック２４５の回動動作範囲内で形成されることが好ましい。
【００４９】
なお、第１右側スナップ２２５は、第２右側レバー１０５の下端部１０５ｂのヒンジ動作の際に右側中間部材２２０が組立位置から離脱しないよう保持する位置保持部材２５０を更に備えることができる。図６Ｃに示したように、位置保持部材２５０は、右側中間部材２２０の第１板２２１から第２右側レバー１０５の下端部１０５ｂの外周面と接触するよう突出した突起２５０ａから構成されることが好ましい。
【００５０】
第２右側スナップ２３０は、シャーシ１０３の右側板１０２に形成されたスライドスロット２３５と、スライドスロット２３５に嵌合するようにスライドスロット２３５に対向して右側中間部材２２０に形成されたスロットガイド溝２３１とから構成される。スライドスロット２３５は、シャーシ１０３の右側板１０２に一字状に切開された開口形態を有し、スロットガイド溝２３１は、図６Ａ及び図６Ｃに示したように、第１板２２１と第２板２２４との間に中間連結部２２３の両縁に沿って形成された二つの溝形態を有する。
【００５１】
スロットガイド溝２３１は、スライドスロット２３５に嵌合されるようにシャーシ１０３の右側板１０２の厚さと略同一であるかまたは若干大きい深さを有し、これにより、スライドスロット２３５は、第１右側スナップ２２５により第２右側レバー１０５の下端部１０５ｂと係合した右側中間部材２２０をシャーシ１０３にスナップ式に固定する時にスロットガイド溝２３１に嵌合される。
【００５２】
第２右側スナップ２３０は、スロットガイド溝２３１がスライドスロット２３５から離脱して右側中間部材２２０がシャーシ１０３の右側板１０２から外れることを防止するロック部材２６０を更に備えることができる。
【００５３】
ロック部材２６０は、右側中間部材２２０の第２板２２４の一端部に設けられたロック突起２６１と、シャーシ１０３の右側板１０２の前面下部にロック突起２６１と対応して設けられたロック突起収容部２６５とから構成される。
【００５４】
図４及び図７Ａに示したように、左側スナップ固定部２００ｂは、左側Ｘ字レバー組立体１０７ｂの第２左側レバー１０５’の下端部１０５ｂ’とシャーシ１０３の左側板１０２’との間に設けられた左側中間部材２２０’、第２左側レバー１０５’の下端部１０５ｂ’を左側中間部材２２０’に回転自在に固定する第１左側スナップ２２５’、及び左側中間部材２２０’をシャーシ１０３の左側板１０２’に固定する第２左側スナップ２３０’を備える。
【００５５】
図８Ａ乃至図８Ｃに示したように、左側中間部材２２０’は、四角形状の第１板及び第２板２２１’、２２４’を中間連結部２２３’で連結したＩ字断面形態の部材で形成される。
【００５６】
第２左側レバー１０５’の下端部１０５ｂ’と対向して配置された第１板２２１’は、右側スナップ固定部２００ａの右側中間部材２２０の第１板２２１と同様に、第２左側レバー１０５’の下端部１０５ｂ’と対向する面において第１左側スナップ２２５’の第２回動ボス２２６’と離脱防止部材２４０’の二つのフック２４５’が形成される。
【００５７】
中間連結部２２３’は、第２左側スナップ２２５’のスライドスロット２３５’（図４及び図７Ａ）の幅と略同一であるかまたは若干小さい幅を有し、これにより、第１板２２１’と第２板２２４’との間にその両縁に沿って後述する第２左側スナップ２２５’のスロットガイド溝２３１’（図８Ａ乃至図８Ｃ）が形成される。
【００５８】
第１左側スナップ２２５’と第１左側スナップ２２５’の離脱防止部材２４０’及び位置保持部材２５０’は、右側スナップ固定部２００ａのそれらの構成と実質的に同様の構成を有する。よって、ここでは詳細な説明は省略する。
【００５９】
図７Ａに示したように、第２左側スナップ２３０’は、シャーシ１０３に形成されたスライドスロット２３５’と、スライドスロット２３５’に嵌合されるようスライドスロット２３５’に対向して左側中間部材２２０’に形成されたスロットガイド溝２３１’とから構成される。
【００６０】
スライドスロット２３５’は、シャーシ１０３の左側板１０２’に第２右側スナップ２３０のスライドスロット２３５と略同一であるかまたは若干大きく一字状に切開された開口形態を有し、スロットガイド溝２３１’は、図８Ａ及び図８Ｃに示したように、第１板２２１’と第２板２２４’との間に中間連結部２２３’の両縁に沿って形成された逆コの字形状の溝形態を有する。
【００６１】
スロットガイド溝２３１’は、第２右側スナップ２３０のスロットガイド溝２３１と同様に、スライドスロット２３５’に嵌合されるようシャーシ１０３の左側板１０２’の厚さと略同一であるかまたは若干大きい厚さを有し、これにより、スライドスロット２３５’は、第１左側スナップ２２５’により第２左側レバー１０５’の下端部１０５ｂ’と係合した左側中間部材２２０’をシャーシ１０３の左側板１０２’にスナップ式に固定する時にスロットガイド溝２３１’に嵌合される。
【００６２】
第２左側スナップ２３０’は、スロットガイド溝２３１’がスライドスロット２３５’から離脱して左側中間部材２２０’がシャーシ１０３の左側板１０２’から外れることを防止するロック部材２６０’を更に備えることができる。
【００６３】
図４、図７Ａ、図７Ｂ及び図８Ｃに示したように、ロック部材２６０’は、左側中間部材２２０´に形成されたスロットガイド溝２３１’の二つの端部内に形成された弾性力を有する二つのロック突起２６１’と、シャーシ１０３の左側板１０２’に形成されたスライドスロット２３５’にロック突起２６１’と対応して形成された二つのロック突起収容部２６５’から構成される。
【００６４】
更に、図４、図５Ａ及び図５Ｂを参照すれば、ロックレバー１１１は、カセットホルダ１０８の右側板１０８ａに軸ピン１１０にて回転自在に係合されている。
【００６５】
ロックレバー１１１は、カセットホルダ１０８が安着位置に位置する時にシャーシ１０３の右側板１０２に形成された係止スロット１１３の係止部１１３ａと噛合する係止突起１１２を備える。
【００６６】
ロックレバー１１１に関し、カセットｃを装着したカセットホルダ１０８をデッキのリールテーブルの安着位置に安着させる場合、係止突起１１２がシャーシ１０３の係止スロット１１３の係止部１１３ａにかかることによりカセットホルダ１０８を安着位置に固定する。これに対し、カセットホルダ１０８をイジェクトする場合には、図示しない別のロックレバー駆動手段によりロックレバー１１１の下端部１１１ａが押されて係止突起１１２が係止スロット１１３の係止部１１３ａと解けるように動作し、これにより、後述するイジェクトスプリング１０９により右側及び左側Ｘ字レバー組立体１０７ａ、１０７ｂが伸ばされながらカセットホルダ１０８が上方に上昇し、図５Ｂ及び図７Ｂの位置にイジェクトされる。
【００６７】
イジェクトスプリング１０９は、カセットホルダ昇降部１０７の右側Ｘ字レバー組立体１０７ａの第２右側レバー１０５の上端部１０５ａの係止部１５９とロックレバー１１１の上端部１１１ａを連結する。
【００６８】
イジェクトスプリング１０９は、ロックレバー１１１の係止突起１１２をシャーシ１０３の係止スロット１１３の係止部１１３ａにかかるようにしてカセットホルダ１０８を安着位置に固定する時、第１右側レバー１０５の上端部１０５ａにより引張されて右側及び左側Ｘ字レバー組立体１０７ａ、１０７ｂを下方に折畳させて下降させ、係止突起１１２を係止スロット１１３の係止部１１３ａから解けるように動作し、カセットホルダ１０８をイジェクトする時には、第１右側レバー１０５の上端部１０５ａを引き寄せて右側及び左側Ｘ字レバー組立体１０７ａ、１０７ｂを上方に伸ばして上昇させる。
【００６９】
以上で、本発明のレバー固定装置２００が適用された磁気記録再生装置のカセットハウジング１００において、右側及び左側スナップ固定部２００ａ、２００ｂが第２右側及び左側レバー１０５、１０５’の下端部１０５ｂ、１０５ｂ’とシャーシ１０３の右側及び左側板１０２、１０２’との間にのみ設けられたものを例示及び説明したが、本発明はこれに限定されるものでなく、他の部分、例えば第１右側及び左側レバー１０４、１０４’の上端部１０４ａ、１０４ａ’とカセットホルダ１０８の右側及び左側板１０８ａ、１０８ｂとの間にも同様の構成と原理により右側及び左側ヒンジ固定部１２２、１２２’の代わりに配設する構成にすることも可能である。
【００７０】
前記のような構成のカセットハウジング１００の組立動作を図４乃至図８Ａ乃至図８Ｃを参照して詳細に説明する。
【００７１】
まず、右側及び左側Ｘ字レバー組立体１０７ａ、１０７ｂが右側及び左側板１０８ａ、１０８ｂに固定されたカセットホルダ１０８を用意する。この時、右側及び左側Ｘ字レバー組立体１０７ａ、１０７ｂは、第１右側及び左側レバー１０４、１０４’の上端部１０４ａ、１０４ａ’が右側及び左側ヒンジ固定部１２２、１２２’によりカセットホルダ１０８の右側及び左側板１０８ａ、１０８ｂに固定され、第２右側及び左側レバー１０５、１０５’の上端部１０５ａ、１０５ａ’が第２右側及び左側スライド固定部１１９、１１９’によりカセットホルダ１０８の右側及び左側板１０８ａ、１０８ｂに固定されている。また、イジェクトスプリング１０９は、第１右側レバー１０５の上端部１０５ａを引き寄せ、右側及び左側Ｘ字レバー組立体１０７ａ、１０７ｂが上方に伸ばされた状態を保持している。
【００７２】
次に、図６Ａ乃至図６Ｃに示したように、右側スナップ固定部２００ａの右側中間部材２２０は、第１右側スナップ２２５の離脱防止部材２４０のフック２４５を第２組立用拡張穴２４１ａに挿入し、第２回動ボス２２６を第２右側レバー１０５の下端部１０５ｂの第２ボス収容穴２２８に挿入した後、右側中間部材２２０を反時計回りに回転させることにより第２右側レバー１０５の下端部１０５ｂと係合される。
【００７３】
次いで、図８Ａ乃至図８Ｃに示したように、左側スナップ固定部２００ｂの左側中間部材２２０’が右側中間部材２２０と同様の方法で第２左側レバー１０５´の下端部１０５ｂ’と係合される。
【００７４】
このように、右側及び左側中間部材２２０、２２０’がそれぞれ第２右側及び左側レバー１０５、１０５’の下端部１０５ｂ、１０５ｂ’と係合した後、第１右側及び左側レバー１０４、１０４’は、第１右側及び左側スライド固定部１１６、１１６’の第１スライドボス１１７、１１７’を第１組立用拡張穴１１８ａ、１１８ａ’を通じて第１スライドボス収容穴１１８、１１８’に挿入することによりシャーシ１０３の右側及び左側板１０２、１０２’に組み立てられる。
【００７５】
この状態で、第２右側及び左側レバー１０５、１０５’は、シャーシ１０３のスライドスロット２３５、２３５’の方に押され、これにより、第２右側及び左側スナップ２３０、２３０’のスライドスロット２３５、２３５’は、右側及び左側中間部材２２０、２２０’に形成されたスロットガイド溝２３１、２３１’に嵌合され、スライドスロット２３５、２３５’の下端部が右側及び左側中間部材２２０、２２０’の中間連結部２２３、２２３’と接触するまでにスロットガイド溝２３１、２３１’に沿ってスライドする。
【００７６】
その後、スライドスロット２３５、２３５’の下端部が右側及び左側中間部材２２０、２２０’の連結部２２３、２２３’の下部と略接触するようになると、第２右側及び左側スナップ２３０、２３０’のロック部材２６０、２６０’のロック突起２６１、２６１’は、スライドスロット２３５、２３５’がスロットガイド溝２３１、２３１´から外れないようにロック突起収容部２６５、２６５’にロックされる。
【００７７】
その結果、図５Ｂ及び図７Ｂに示したように、第１右側及び左側レバー１０４、１０４’の下端部１０４ｂ、１０４ｂ’は、第１右側及び左側スライド固定部１１６、１１６’の第１スライドボス収容穴１１８、１１８’内でスライド可能に支持され、第２右側及び左側レバー１０５、１０５’の下端部１０５ｂ、１０５ｂ’は、第１右側及び左側スナップ２２５、２２５’の離脱防止部材２４０、２４０’によりレバーのヒンジ範囲内で所定角度で回転自在にシャーシ１０３の右側及び左側板１０２、１０２’に支持されると同時に、第２右側及び左側スナップ２３０、２３０’のロック部材２６０、２６０’によりシャーシ１０３の右側及び左側板１０２、１０２’から離脱しないように係合され、シャーシ１０３に対するカセットホルダ１０８の組み立ては完了する。
【００７８】
次に、このように組み立てられたカセットハウジング１００のカセットの安着動作及びイジェクト動作を説明する。
【００７９】
まず、カセットの安着動作に関して説明する。
【００８０】
図５Ｂ及び図７Ｂに示すような状態でカセットホルダ１０８にカセットｃを挿入した後、カセットホルダ１０８は下方に押される。
【００８１】
カセットホルダ１０８が下方に押されることによりカセットホルダ１０８の右側板１０８ａに軸ピン１１０にて回転自在に係合されたロックレバー１１１は、カセットホルダ１０８と共に下方に下降する。
【００８２】
この時、第２右側及び左側レバー１０５、１０５’の上端部１０５ａ、１０５ａ’の第２スライドボス１２１、１２１’は、第２右側レバー１０５の上端部１０５ａの係止部１５９とロックレバー１１１の上端部１１１ａを連結するイジェクトスプリング１０９の弾性力に抗して第２右側及び左側スライド固定部１１９、１１９’の第２スライドボス収容穴１２０、１２０’の第２組立用拡張穴１２０ａ、１２０ａ’に隣接した位置にスライドして移動し、第１右側及び左側レバー１０４、１０４’の下端部１０４ｂ、１０４ｂ’の第１スライドボス１１７、１１７’は、第１右側及び左側スライド固定部１１６、１１６’の第１スライドボス収容穴１１８、１１８’の第１組立用拡張穴１１８ａから離隔した位置にスライドして移動する。
【００８３】
また、第２右側及び左側レバー１０５、１０５’の下端部１０５ｂ、１０５ｂ’は、第１右側及び左側スナップ２２５、２２５’の第２ボス収容穴２２８、２２８’が第２回動ボス２２６、２２６’に対し、図６Ｂ及び図８Ｂに示した位置から一方向、例えば時計回りに所定角度で回転するが、離脱防止部材２４０、２４０’により第２回動ボス２２６が第２ボス収容穴２２８から離脱することが防止される。
【００８４】
次に、カセットｃを装着したカセットホルダ１０８がデッキのリールテーブルの安着位置に安着すると、ロックレバー１１１の係止突起１１２がシャーシ１０３の係止スロット１１３の係止部１１３ａにかかるようになり、これによってカセットホルダ１０８は安着位置に固定される。
【００８５】
次に、カセットのイジェクト動作について説明する。
【００８６】
カセットホルダ１０８が安着位置に安着した状態で、図示しないイジェクトボタンが押されると、ロックレバー駆動手段が動作して、ロックレバー１１１の下端部１１１ａが一側、例えば右側（図５Ｂ参照）に押される。その結果、ロックレバー１１１の下端部１１１ａが右側に押されて係止突起１１２が係止スロット１１３の係止部１１３ａと解ける。
【００８７】
この時、第２右側レバー１０５の上端部１０５ａがイジェクトスプリング１０９の弾性力によって引き寄せられるので、第２右側及び左側レバー１０５、１０５’の上端部１０５ａ、１０５ａ’の第２スライドボス１２１、１２１’は、第２スライドボス収容穴１２０、１２０’の第２組立用拡張穴１２０ａに隣接した位置から離隔した位置にスライド移動して元の位置に戻り、第１右側及び左側レバー１０４、１０４’の下端部１０４ｂ、１０４ｂ’の第１スライドボス１１７、１１７’は、第１スライドボス収容穴１１８、１１８’の第１組立用拡張穴１１８ａから離隔した位置から隣接した位置にスライド移動して元の位置に戻る。
【００８８】
また、第２右側及び左側レバー１０５、１０５´の下端部１０５ｂ、１０５ｂ’は、第１右側及び左側スナップ２２５、２２５’の第２ボス収容穴２２８、２２８’が第２回動ボス２２６、２２６’に対し反時計回りに所定角度で回転して図６Ｂ及び図８Ｂに示した元の位置に戻る。
【００８９】
その結果、図５Ａ及び図７Ｂに示したように、右側及び左側ヒンジ固定部１２２、１２２’と第２右側及び左側スライド固定部１１９、１１９’を通じて第１及び第２の右側及び左側レバー１０４、１４０’、１０５、１０５’の上端部１０４ａ、１０４ａ’、１０５ａ、１０５ａ’に支持されたカセットホルダ１０８は、第１及び第２の右側及び左側レバー１０４、１４０’、１０５、１０５’の上端部１０４ａ、１０４ａ’、１０５ａ、１０５ａ’の上昇移動により上方に上昇しイジェクトされ、これにより、カセットｃはカセットホルダ１０８から除去されたり、カセットホルダ１０８に挿入され得る。
【００９０】
以上では、本発明の好適な実施形態について図示し説明したが、本発明は、上述した特定の実施形態に限定されるものではなく、特許請求の範囲で請求している本発明の要旨を逸脱することなく当該発明の属する技術分野における通常の知識を有する者であれば誰でも種々の変形実施が可能であることはもとより、そのような変更は、本発明の特許請求の範囲に含まれることは自明である。
【産業上の利用可能性】
【００９１】
本発明は、ビデオカメラ、ＶＣＲのような磁気記録再生装置に適用して、別の締結部材を用いることなくカセットホルダをハウジングブラケットに固定することができ、これにより、カセットホルダをハウジングブラケットに組立固定する作業工数が減少すると同時に、作業時間が短くなり、生産性が向上される。
【図面の簡単な説明】
【００９２】
【図１】一般の磁気記録再生装置のカセットハウジングの斜視図である。
【図２Ａ】図１に示すカセットハウジングの右側面図である。
【図２Ｂ】図１に示すカセットハウジングの右側面図である。
【図３Ａ】図１に示すカセットハウジングの左側面図である。
【図３Ｂ】図１に示すカセットハウジングの左側面図である。
【図４】本発明によるカセットハウジングのレバー固定装置が適用された磁気記録再生装置のカセットハウジングの分解斜視図である。
【図５Ａ】図４に示すカセットハウジングの分解右側面図及び係合右側面図である。
【図５Ｂ】図４に示すカセットハウジングの分解右側面図及び係合右側面図である。
【図６Ａ】図５Ａ及び図５Ｂに示すカセットハウジングのレバー固定装置の右側スナップ固定部の右側中間部材と、第１右側スナップの分解右側面図、係合右側面図及び係合斜視図である。
【図６Ｂ】図５Ａ及び図５Ｂに示すカセットハウジングのレバー固定装置の右側スナップ固定部の右側中間部材と、第１右側スナップの分解右側面図、係合右側面図及び係合斜視図である。
【図６Ｃ】図５Ａ及び図５Ｂに示すカセットハウジングのレバー固定装置の右側スナップ固定部の右側中間部材と、第１右側スナップの分解右側面図、係合右側面図及び係合斜視図である。
【図７Ａ】図４に示す磁気記録再生装置のカセットハウジングの分解左側面図及び係合左側面図である。
【図７Ｂ】図４に示す磁気記録再生装置のカセットハウジングの分解左側面図及び係合左側面図である。
【図８Ａ】図７Ａ及び図７Ｂに示すカセットハウジングのレバー固定装置の左側スナップ固定部の左側中間部材と第１左側スナップの分解左側面図、係合左側面図及び係合斜視図である。
【図８Ｂ】図７Ａ及び図７Ｂに示すカセットハウジングのレバー固定装置の左側スナップ固定部の左側中間部材と第１左側スナップの分解左側面図、係合左側面図及び係合斜視図である。
【図８Ｃ】図７Ａ及び図７Ｂに示すカセットハウジングのレバー固定装置の左側スナップ固定部の左側中間部材と第１左側スナップの分解左側面図、係合左側面図及び係合斜視図である。
【符号の説明】
【００９３】
３、１０３  シャーシ
４、４’、５、５’、１０４、１０４’、１０５、１０５’  レバー
７、７’、１０７ａ、１０７ｂ  Ｘ字レバー組立体
９、１０８  カセットホルダ
９、９’、１０９  イジェクトスプリング
１１、１１１  ロックレバー
１６、１６’、１１６、１１６’、１１９、１１９’  スライド固定部
１９、１９’、１２２  ヒンジ固定部
１００  カセットハウジング
１０７  カセットホルダ昇降部
２００  レバー固定装置
２００ａ、２００ｂ  スナップ固定部
２２０、２２０’  中間部材
２２５、２２５’  第１スナップ
２３０、２３０’  第２スナップ
２４０、２４０’  離脱防止部材
１５０、１５０’  位置保持部材
２６０、２６０’  ロック部材
【図１】
2006004608.tif 000003
【図２Ａ】
2006004608.tif 000004
【図２Ｂ】
2006004608.tif 000005
【図３Ａ】
2006004608.tif 000006
【図３Ｂ】
2006004608.tif 000007
【図４】
2006004608.tif 000008
【図５Ａ】
2006004608.tif 000009
【図５Ｂ】
2006004608.tif 000010
【図６Ａ】
2006004608.tif 000011
【図６Ｂ】
2006004608.tif 000012
【図６Ｃ】
2006004608.tif 000013
【図７Ａ】
2006004608.tif 000014
【図７Ｂ】
2006004608.tif 000015
【図８Ａ】
2006004608.tif 000016
【図８Ｂ】
2006004608.tif 000017
【図８Ｃ】
2006004608.tif 000018